(57)【要約】【課題】光源の数を増やすことなく、強い光を放つことが可能な発光表示部を備えた遊技機を提供する。【解決手段】遊技機は、第一光源１７と、第一光源１７の前方に配置される第一レンズ２２と、第一レンズ２２の外周を覆う筒型の遮光反射部材２１と、第一レンズ２２及び遮光反射部材２１の前方に配置される第一被照射部材２３とを備え、第一光源１７の照射光及び遮光反射部材２１の筒内面で反射された第一光源１７の反射光が、第一レンズ２２により集約されて、第一被照射部材２３に到達するように形成されている。【選択図】図７
2015198675.tif 000002
【特許請求の範囲】
【請求項１】
基板面に実装される第一光源と、
第一光源の前方に配置され、前方に突出する前方レンズ面及び後方に突出する後方レンズ面を有する第一レンズと、
第一レンズの外周を覆い、第一光源の照射光を第一レンズに向けて反射させることができる筒型の遮光反射部材と、
第一レンズ及び遮光反射部材の前方に配置される第一被照射部材とから構成される発光表示部を備え、
発光表示部は、後方レンズ面の受ける第一光源の照射光及び遮光反射部材の反射光が、前方レンズ面により第一被照射部材に集約されて、第一被照射部材が発光して見えるように形成されていることを特徴とする遊技機。
【請求項２】
相対的に強い光で発光しているように見せるための強発光表示部と、相対的に弱い光で全体的に発光しているように見せるための弱発光表示部とを備えた遊技機であって、
強発光表示部は、
基板面に実装される第一光源と、第一光源の前方に配置され、前方に突出する前方レンズ面及び後方に突出する後方レンズ面を有する第一レンズと、第一レンズの外周を覆い、第一光源の照射光を第一レンズに向けて反射させることができる筒型の遮光反射部材と、第一レンズ及び遮光反射部材の前方に配置される第一被照射部材とから構成され、後方レンズ面の受ける第一光源の照射光及び遮光反射部材の反射光が、前方レンズ面により第一被照射部材に集約されて、第一被照射部材が発光して見えるように形成されており、
弱発光表示部は、
第一光源と同一平面の基板面に実装される第二光源と、第二光源の前方に配置される第二レンズと、第二レンズの前方に配置される第二被照射部材とから構成され、第二光源の照射光が第二レンズにより拡散されて、第二被照射部材が全体的に発光して見えるように形成されていることを特徴とする遊技機。
【請求項３】
第一レンズは、前方レンズ面の周囲に設けられ第一レンズの中心側から外側に向かって後方に傾斜する前方傾斜面と、後方レンズ面の周囲に設けられ第一レンズの中心側から外側に向かって前方に傾斜する後方傾斜面とをさらに備えていることを特徴とする請求項１又は２記載の遊技機。
【発明の詳細な説明】
【技術分野】
【０００１】
この発明は、発光表示部を備えた遊技機に関するものである。
【背景技術】
【０００２】
スロットマシンなどの遊技機においては、遊技機の正面に、ランプやＬＥＤなどの光源が内蔵された電飾装置が設けられ、遊技の進行に応じて発光体を点灯点滅させることにより、演出効果を高めるようにしている。
例えば、特許文献１には、１枚の光源用基板に発光態様の異なる光源を実装し、これらの光源の間に遮光壁を設けて、光源の前方に配置されるレンズに表示される電飾の演出態様を、レンズごとに異ならせることが記載されている。
また、特許文献２では、光源の前方に、光を内側に向けて反射する反射面と光を外側に向けて反射する反射面とを有するリフレクタを配置し、遊技者のみならず周囲に対しても演出効果を高めるようにしている。
【先行技術文献】
【特許文献】
【０００３】
【特許文献１】特開２００６−３２６１９７号公報
【特許文献２】特開２００９−１２５４９３号公報
【発明の概要】
【発明が解決しようとする課題】
【０００４】
このように、従来の遊技機における電飾装置のリフレクタやレンズは、ほとんど、光源の照射光を拡散させるための構造を有している。ここで、電飾装置において、特定の箇所だけ強い光を放つように形成したい場合には、光源の数を増やしたり、光度の高い光源を用いることが考えられる。しかし、光源の数を増やしたり、光度の高い光源を用いると、コストが嵩むという問題がある。
本発明は、このような事情に鑑み、光度の高い光源を数多く使用しなくても、強い光を放っているように見える発光表示部を備えた遊技機を提供することを目的とする。
【課題を解決するための手段】
【０００５】
本願発明は、上記課題を解決するために、以下のような構成を備える。
すなわち、本願の第一の発明は、基板面に実装される第一光源（ＬＥＤ１７）と、第一光源の前方に配置され、前方に突出する前方レンズ面３１及び後方に突出する後方レンズ面３３を有する第一レンズ（インナーレンズ２２）と、第一レンズの外周を覆い、第一光源の照射光を第一レンズに向けて反射させることができる筒型の遮光反射部材（リフレクタ２１）と、第一レンズ及び遮光反射部材の前方に配置される第一被照射部材（カバーレンズ２３）とから構成される発光表示部を備え、この発光表示部は、後方レンズ面３３で受ける第一光源の照射光及び遮光反射部材の反射光が、前方レンズ面３１により第一被照射部材に集約されて、第一被照射部材が発光して見えるように形成されていることを特徴とする。
【０００６】
本発明では、第一光源の照射光を遮光反射部材で反射させて第一レンズの後方レンズ面３３に集め、後方レンズ面３３が受けた光は前方レンズ面３１から第一被照射部材に集約される。これにより、光源の光が増幅されて第一被照射部材に届くので、数多くの光源を用いなくても、第一被照射部材が強い光を放って見えるものとなる。
【０００７】
本願の第二の発明は、相対的に強い光で発光しているように見せるための強発光表示部と、相対的に弱い光で全体的に発光しているように見せるための弱発光表示部とを備えた遊技機に係る。強発光表示部は、基板面に実装される第一光源と、第一光源の前方に配置され、前方に突出する前方レンズ面及び後方に突出する後方レンズ面を有する第一レンズと、第一レンズの外周を覆い、第一光源の照射光を第一レンズに向けて反射させることができる筒型の遮光反射部材と、第一レンズ及び遮光反射部材の前方に配置される第一被照射部材とから構成され、後方レンズ面の受ける第一光源の照射光及び遮光反射部材の反射光が、前方レンズ面により第一被照射部材に集約されて、第一被照射部材が発光して見えるように形成されている。一方、弱発光表示部は、第一光源と同一平面の基板面に実装される第二光源（ＬＥＤ１６）と、第二光源の前方に配置される第二レンズ（拡散レンズ板１３）と、第二レンズの前方に配置される第二被照射部材（飾りレンズ１５）とから構成され、第二光源の照射光が第二レンズにより拡散されて、第二被照射部材が全体的に発光して見えるように形成されていることを特徴とする。
【０００８】
本発明によれば、弱発光表示部によって全体的に発光する弱発光と、強発光表示部によって強い光を放つ強発光とにより、演出効果を高めることができる。また、強発光表示部の上記した構成によって、強発光表示部の第一光源を弱発光表示部の第二光源と同一平面上に配置しても強発光を得ることができるので、弱発光と強発光を併せ持つ発光表示部を容易に設計・製造することができる。
【０００９】
ここで、第一の発明及び第二の発明おいて、第一レンズに、前方レンズ面の周囲に設けられ第一レンズの中心側から外側に向かって後方に傾斜する前方傾斜面（傾斜面３２ａ）と、後方レンズ面の周囲に設けられ第一レンズの中心側から外側に向かって前方に傾斜する後方傾斜面（傾斜面３４ａ）とをさらに設けることかできる。このように形成することにより、後方傾斜面の受けた第一光源の照射光及び遮光反射部材の反射光を、前方レンズ面及び前方傾斜面によって第一被照射部材に集約させることができるとともに、第一被照射部材の方向とは異なる方向に分散させることもでき、第一レンズによる光の集約を効率的かつ適度に行うことができる。
【発明の効果】
【００１０】
本発明は、以上のように構成されているので、光源の数を増やすことなく、強い光を放つことが可能な発光表示部を備えた遊技機を提供することかできる。
【図面の簡単な説明】
【００１１】
【図１】本発明の実施の形態であって、スロットマシンの外観正面図である。
【図２】本発明の実施の形態であって、スロットマシンの上扉の斜視図である。
【図３】本発明の実施の形態であって、上ランプユニットの分解斜視図である。
【図４】本発明の実施の形態であって、レンズユニットの分解斜視図である。
【図５】本発明の実施の形態であって、インナーレンズの斜視図である。
【図６】本発明の実施の形態であって、インナーレンズの正面図及び背面図である。
【図７】本発明の実施の形態であって、レンズユニットの横断面図である。
【図８】本発明の実施の形態であって、レンズユニットの拡大断面図である。
【図９】本発明の実施の形態であって、拡散レンズ板の部分横断面図である。
【発明を実施するための形態】
【００１２】
本発明の好適な実施の形態を、遊技機としてスロットマシンを例に、図面に基づき説明する。なお、本明細書において、各構成部材の上下左右、前後（正面背面）の方向は、特に指定しない場合には、各構成部材をスロットマシンＳに取り付けた状態で、スロットマシンＳを正面（遊技者と対峙する前面）から見たときの方向を示すものである。
（スロットマシンＳ）
スロットマシンＳは、図１に示すように、大きく分けて、正面側に開口部を有する筐体１と、筐体１に開閉自在に取り付けられ筐体１の開口部を閉塞可能な前扉２とから構成されている。筐体１の内部には、図示しないが、３個の回転リール３を備えたリールユニットや、メダルを貯留可能であるとともに貯留しているメダルを払い出すホッパーユニットや、スロットマシンＳの作動を制御するための制御装置等が配置されている。
【００１３】
前扉２は、上扉２Ａと、下扉２Ｂに分割されており、上扉２Ａ及び下扉２Ｂはそれぞれ、筐体１の側板にヒンジを介して回転自在に軸支されている。上扉２Ａには、図１に示すように、回転リール３を正面側から見ることができるリール窓Ｗを有する正面パネルＰと、正面パネルＰの上側に位置する画像表示部８が設けられている。画像表示部８は、上扉２Ａの背面側に配置された液晶表示装置（図示せず）の液晶画面を視認可能とする窓部である。また、画像表示部８の側方にはスピーカ７のうちの上スピーカ７Ａが設けられているとともに、正面パネルＰの両側及び上側、画像表示部８の上側及び上スピーカ７Ａの前面には、電飾装置９が設けられている。
ここで、電飾装置９としては、図１及び図２に示すように、正面パネルＰの両側に配置されたサイドランプユニット９Ａと、正面パネルＰと画像表示部８との間に配置された中ランプユニット９Ｂと、上スピーカ７Ａの前面に配置されたスピーカランプユニット９Ｃと、画像表示部８の上側に配置された上ランプユニット１０とが設けられている。
【００１４】
下扉２Ｂには、図１に示すように、メダル投入口４、遊技を行う際に操作する操作スイッチ５、遊技の結果払い出されるメダルを貯留することができる下皿６を備えている。操作スイッチ５としては、回転リール３を回転させるためのスタートスイッチ５Ａと、回転中の回転リール３を停止させるための停止スイッチ５Ｂとが少なくとも設けられている。下皿６の奥側の壁には、スピーカ７のうちの下スピーカ７Ｂが配置されている。
【００１５】
スロットマシンＳは、スタートスイッチ５Ａが操作されることに伴い、制御装置により所定の図柄組合せが対応付けられた役について当選か否かの役抽選が行われるとともに、回転リール３が回転を開始する。そして、回転リール３の回転中に停止スイッチ５Ｂが操作されると、回転リール３の回転が停止する。回転リール３の停止時に、当選役に対応する図柄組合せがリール窓Ｗの所定の有効ライン上に表示された場合には、ホッパーユニットから入賞に対応するメダルが払い出されたり、ボーナスゲームなどの有利遊技が開始されたりするようになっている。また、役抽選の結果や遊技結果に基づいて、スピーカ７から所定の音声が出力されたり、画像表示部８に所定の画像が表示されたり、電飾装置９が所定の態様で発光したりする演出が行われるようになっている。
【００１６】
（上ランプユニット１０）
次に、上述の電飾装置９のうちの、上ランプユニット１０の構造について説明する。なお、サイドランプユニット９Ａ、中ランプユニット９Ｂ及びスピーカランプユニット９Ｃについては説明を省略する。
上ランプユニット１０は、図３に示すように、ベース１１と、ＬＥＤ１６、１７を実装したＬＥＤ基板１２と、拡散レンズ板１３と、枠体１４と、飾りレンズ１５と、レンズユニット２０とを備えている。
ベース１１は、正面側に凹部を有する薄板箱状の部材であり、凹部内にＬＥＤ基板１２を収納固定するものである。
拡散レンズ板１３は、ＬＥＤ基板１２の正面側に配置される透明な板部材であり、正面視して左側に位置する左レンズ板１３Ｌと、正面視して右側に位置する右レンズ板１３Ｒとに分割されている。左レンズ板１３Ｌ及び右レンズ板１３Ｒの背面側には、図示しないスペーサー突起が形成されており、ＬＥＤ基板１２の正面側に、前後方向の間隙をあけて配置されるようになっている（図９参照）。
【００１７】
また、左レンズ板１３Ｌ及び右レンズ板１３ＲをＬＥＤ基板１２の適位置に配置すると、左レンズ板１３Ｌの右端部と、右レンズ板１３Ｒの左端部との間に、左右方向の隙間が生じるようになっている。そして、この隙間の、拡散レンズ板１３によって覆われないＬＥＤ１７の正面側に、レンズユニット２０を設置することができるようになっている。レンズユニット２０の詳細については後述する。
拡散レンズ板１３の正面には、図３に示すように、拡散レンズ板１３を適位置に配置したときにＬＥＤ基板１２に設けられたＬＥＤ１６と合致する箇所に、正面視して後方に凹んだ凹部１３Ａが形成されている。また、拡散レンズ板１３の背面には、前記凹部１３Ａの背面側となる箇所に、正面視して後方に突出する凸部１３Ｂが形成されているとともに、凸部１３Ｂの周囲には、カット部１３Ｃが形成されている（図９参照）。凹部１３Ａ、凸部１３Ｂ、カット部１３Ｃは、いずれも、ＬＥＤ１６の照射光を前方に拡散して照射するためのものである。
【００１８】
枠体１４は、ベース１１、ＬＥＤ基板１２、拡散レンズ板１３、レンズユニット２０及び飾りレンズ１５を一体化させるためのものである。枠体１４の正面１４Ａには、図示しないが、飾りレンズ１５を取り付けるための取り付け部（例えば飾りレンズ１５の背面に設けられた突起を嵌入可能な孔）が設けられているとともに、拡散レンズ板１３を透過したＬＥＤ１６の照射光が通過可能な開口部が設けられている。この開口部は飾りレンズ１５によって覆われるものである。また、枠体１４の中央部には、前後方向に貫通する貫通孔１４Ｂが形成されており、この貫通孔１４Ｂの内部にレンズユニット２０を装着することができるようになっている。
【００１９】
飾りレンズ１５は、透光性を有する着色部材又は透明部材であり、枠体１４の正面に取り付けられて上ランプユニット１０の正面意匠を形成するものである。すなわち、枠体１４を上扉２Ａに装着すると、飾りレンズ１５がスロットマシンＳの正面側の表面に露出するものとなる。また、飾りレンズ１５の背面側には、図示していないが、後方からの光を拡散させるためのカット面が形成されており、拡散レンズ板１３によって拡散されたＬＥＤ１６の照射光をさらに分散して正面側に透過させることができるようになっている。飾りレンズ１５としては、正面左側に位置する左レンズ１５Ｌと、正面右側に位置する右レンズ１５Ｒと、中央に位置する中レンズ１５Ｃとが設けられている。中レンズ１５Ｃの中央部には、中レンズ１５Ｃを枠体１４に取り付けたとき枠体１４の貫通孔１４Ａと合致する貫通孔１５Ａが形成されており、この貫通孔１５Ａの正面側から、以下に述べるレンズユニット２０のカバーレンズ２３が露出するようになっている。
【００２０】
（レンズユニット２０）
次に、レンズユニット２０について詳述する。
レンズユニット２０は、図３及び図４に示すように、筒型のインナーレンズ２２と、インナーレンズ２２の外周を覆うリフレクタ２１と、リフレクタ２１及びインナーレンズ２２の正面側に配置されるカバーレンズ２３とを備えている。なお、図４（Ａ）はレンズユニット２０を正面視した分解斜視図であり、図４（Ｂ）はレンズユニット２０を背面視した分解斜視図である。
インナーレンズ２２は、図５乃至図７に示すように、正面開口２２Ｂ及び背面開口２２Ｃを有する筒体２２Ａと、筒体２２Ａの筒内空間を前後に仕切るレンズ部３０を備えている。なお、図５（Ａ）はインナーレンズ２２の正面斜視図であり、図５（Ｂ）はインナーレンズ２２の背面斜視図である。筒体２２Ａの背面には、図５（Ｂ）に示すように、円柱状のスペーサー突起２２０が設けられている。また、図６（Ａ）はインナーレンズ２２の正面図であり、図６（Ｂ）はインナーレンズ２２の背面図である。図７は、図６（Ａ）におけるＩ−Ｉ線の部分で切断した場合のレンズユニット２０の横断面図である。
【００２１】
レンズ部３０の正面側には、図５（Ａ）及び図６（Ａ）に示すように、正面視円弧状の外縁を有する前方レンズ面３１が上下方向に並んで２つ形成されている。前方レンズ面３１は、図７に示すように、前方に突出する球面を有し、円形の前方レンズ面３１の中心は、レンズユニット２０をＬＥＤ基板１２の正面側に配置したときに、ＬＥＤ基板１２の中心部に位置するＬＥＤ１７の位置と合致するようになっている。また、前方レンズ面３１の周囲には、正面視すると前方レンズ面３１の円弧と同心の円弧状を呈する前方カット部３２が複数個形成されている。前方カット部３２は、図６（Ａ）及び図８に示すように、前方レンズ面３１の中心側から外側に向かって後方に傾斜する傾斜面３２ａと、隣接する前方レンズ面３１又は傾斜面３２ａとの間に形成される立面３２ｂとから形成されている。なお、図８は図７を拡大した図である。
【００２２】
一方、レンズ部３０の背面側には、図５（Ｂ）及び図６（Ｂ）に示すように、背面視円形の外縁を有する後方レンズ面３３が上下方向に並んで２つ形成されている。後方レンズ面３３は、図７に示すように、後方に突出する球面を有し、後方レンズ面３３の円の中心は、前方レンズ面３１の円弧の中心と一致している。そして、前方レンズ面３１と後方レンズ面３３により、レンズ部３０は概略凸レンズ形状を呈するものとなっている。ここで、図６に示すように、後方レンズ面３３の直径ｙ（例えば５．５ミリメートル）は前方レンズ面３１の直径ｘ（例えば９ミリメートル）よりも小さく、図７に示すように、後方レンズ面３３の曲率は、前方レンズ面３１よりも大きくなるように形成されている。
【００２３】
また、後方レンズ面３３の周囲には、後方レンズ面３３の円弧と同心の円弧状を呈する後方カット部３４が複数個形成されている。後方カット部３４は、図６（Ｂ）及び図８に示すように、後方レンズ面３３の中心側から外側に向かって前方に傾斜する傾斜面３４ａと、隣接する後方レンズ面３３又は傾斜面３４ａとの間に形成される立面３４ｂとから形成されている。そして、図８に示すように、後方カット部３４の傾斜面３４ａの垂直面（レンズ部３０の背面）に対する傾斜角度θは、前方カット部３２の傾斜面３２ａの垂直面（レンズ部３０の正面）に対する傾斜角度θ’よりも大きく形成されている。また、後方カット部３４の立面３４ｂの前後方向の長さは、前方カット部３２の立面３２ａよりも大きく形成されている。つまり、後方カット部３４の突出距離は前方カット部３２の突出距離よりも大きく形成されており、レンズ部３０の背面は正面よりも凹凸の差が大きく、表面積が広くなっている。
【００２４】
前記リフレクタ２１は、インナーレンズ２２の外周を覆う遮光部材である。すなわち、リフレクタ２１は、図４に示すように、前後方向に貫通する開口部２１Ａを有する筒型に形成されており、図７に示すように、開口部２１Ａ内にインナーレンズ２２を嵌め込むことができるようになっている。リフレクタ２１は、枠体１４の背面に固定されるものであり、インナーレンズ２２を嵌め込んだリフレクタ２１を上ランプユニット１０の適位置に設置すると、ＬＥＤ１７が開口部２１Ａの内側に位置し、レンズ部３０がＬＥＤ１７から所定距離（後述するＤ１）離れ、かつ前方レンズ面３１及び後方レンズ面３３の中心がＬＥＤ１７の位置と合致するように配置されるものとなる。なお、図示した例では、リフレクタ２１の下部が切り欠かれて外周面が不連続な筒体となっているが、この切り欠きはレンズユニット２０の設置スペースの関係上発生したものであり、必須のものではない。リフレクタ２１がインナーレンズ２２の外周全部を覆うように形成してもよいものである。
【００２５】
前記カバーレンズ２３は、透光性を有する着色部材又は透明部材であり、飾りレンズ１５とともに上ランプユニット１０の正面意匠の一部を形成するものである。カバーレンズ２３は、図４に示すように、前面板２３Ａと側面板２３Ｂを有し、背面側に背面開口２３Ｃを備えたキャップ型に形成されている。また、側面板２３Ｂには、側方に張り出すフランジ２３０が形成されている。そして、図７に示すように、インナーレンズ２２を嵌め込んだリフレクタ２１の正面側に配置されることにより、インナーレンズ２２の正面開口２２Ｂを塞ぐようになっている。
カバーレンズ２３は、枠体１４の貫通孔１４Ｂに後方からセットされ、フランジ２３０が貫通孔１４Ｂの縁部（図示せず）に係止されるようになっている。そして、インナーレンズ２２を嵌め込んだリフレクタ２１を枠体１４に背面側から固定することにより、レンズユニット２０が枠体１４に装着される。レンズユニット２０を装着した枠体１４の背面に、ＬＥＤ基板１２を収納固定したベース１１を固定することにより、インナーレンズ２２のレンズ部３０がＬＥＤ１７の正面側に位置するものとなる（図７参照）。
【００２６】
ここで、レンズユニット２０において、ＬＥＤ１７からインナーレンズ２２のレンズ部３０の前後方向の中心までの長さＤ１（図７参照）は、レンズ部３０の中心からインナーレンズ２２の正面（すなわちカバーレンズ２３の背面）までの長さＤ２よりも短く設定されている。例えば、Ｄ１は約６．５ミリメートルであり、Ｄ２は約２０ミリメートルである。なお、ＬＥＤ１６から拡散レンズ板１３の背面までの長さＤ３（図９参照）は、例えば約２ミリメートルとなっている。すなわち、インナーレンズ２２のレンズ部３０は、拡散レンズ板１３よりも光源から離れた位置に配置されているものとなっている。
さらに、前方レンズ面３１の焦点距離が、カバーレンズ２３の前面板２３Ａの付近となるよう、前方レンズ面３１及び後方レンズ面３３の曲率が設定されている。
【００２７】
レンズユニット２０の発光について具体的に説明する。図８に示すように、ＬＥＤ１７の照射光（放射光）のうち、インナーレンズ２２を通過してリフレクタ２１の内面２１ａに到達した光線αは、内面２１ａで反射される。そして、レンズ部３０の前方カット部３２の傾斜面３２ａを出て、反対側の内面２１ａに到達し、さらに反射して前方レンズ面３１の焦点の方向に向かって進む。あるいは、内面２１ａで反射された光線εは、後方カット部３４の傾斜面３４ａから入り、前方カット部３２の傾斜面３２ａを出て、前方レンズ面３１の焦点の方向に向かって進む。また、レンズ部３０の後方カット部３４の傾斜面３４ａに到達した光線βや、後方レンズ面３３に到達した光線γは、前方レンズ面３１を出て前方レンズ面３１の焦点の方向に進む。また、後方カット部３４の立面３４ｂに到達した光線δは、立面３４ｂで反射されて傾斜面３４ａに入り、前方レンズ面３１を出て前方レンズ面３１の焦点の方向に進む。なお、立面３４ｂを通過した光線δ’は、リフレクタ２１の内面２１ａで反射してカバーレンズ２３方向に進む。
【００２８】
ここで、前方カット部３２及び後方カット部３４により、前方レンズ面３１の焦点の方向に進まない光線が発生する。これらの光線は、焦点からずれたカバーレンズ２３の所定部位に到達する場合もあるが、直接カバーレンズ２３に到達しなくても、リフレクタ２１で反射されて間接的にカバーレンズ２３に到達する。このように乱反射される光線は、結果としてＬＥＤ１７の照射光を増幅するので、強発光の手助けとなり、カバーレンズ２３を全体的に強発光させる要因ともなる。例えば、前方カット部３２及び後方カット部３４を設けずに、前方レンズ面３１と後方レンズ面３３によってカバーレンズ２３に照射光を集約すると、カバーレンズ２３から放出される光が強烈すぎて、遊技者の目を痛めたりするおそれがあるが、このような乱反射する光線を発生させることにより、かかるトラブルを防止することができる。
【００２９】
このようにして、レンズ部３０に到達する光線には、ＬＥＤ１７から直接照射される照射光の他、インナーレンズ２２の背面開口２２Ｃにおいてリフレクタ２１により反射された反射光が加わり、ＬＥＤ１７の照射光が増幅されてレンズ部３０に集約される。また、レンズ部３０の後方レンズ面３３及び後方カット部３４は、前方レンズ面３１及び前方カット部３２よりも凹凸が深く形成されているので、ＬＥＤ１７の照射光や、リフレクタ２１又はインナーレンズ２２で反射された反射光を集約しやすくなっている。そして、レンズ部３０に集約されレンズ部３０を通過した光は、カバーレンズ２３の前面板２３Ａの近傍に設定された前方レンズ面３１の焦点付近に集約されるので、正面側からは、カバーレンズ２３が強い光を放っているように見えるものとなる。
【００３０】
（作用）
上記構成を有する上ランプユニット１０において、ＬＥＤ１６を点灯させた場合には、ＬＥＤ１６の照射光は、拡散レンズ板１３により拡散されて、枠体１４を通過し、飾りレンズ１５に到達する。飾りレンズ１５の内側に設けられたカット面がさらに光を乱反射するので、飾りレンズ１５は全体的に発光して見える。一方、ＬＥＤ１７を点灯させた場合には、ＬＥＤ１７の照射光は、上述のごとくリフレクタ２１より増幅されインナーレンズ２２によって凝縮されてカバーレンズ２３に向かうので、カバーレンズ２３は、飾りレンズ１５の全体発光に比べると強く発光して見える。このように、ＬＥＤ１６及び拡散レンズ板１３及び飾りレンズ１５は、相対的に弱い光で全体的に発光する弱発光表示部を構成するものであり、ＬＥＤ１７及びレンズユニット２０は、相対的に強い光を放つことができる強発光表示部を構成するものである。
なお、ＬＥＤ１６及びＬＥＤ１７を同時に点灯させた場合には、飾りレンズ１５の弱発光と、カバーレンズ２３の強発光が同時に行われるものとなる。
【００３１】
（まとめ）
以上のように、本実施の形態では、発光表示部としてのレンズユニット２０において、レンズ部３０を備えたインナーレンズ２２（第一レンズ）をリフレクタ２１（遮光反射部材）で被覆し、レンズ部３０をＬＥＤ１７（第一光源）から所定距離に位置させている。このように、ＬＥＤ１７とレンズ部３０との間に空間を設けたことにより、ＬＥＤ１７の照射光をリフレクタ２１で反射させることができる。そして、レンズ部３０の背面部の構造を、球面（後方レンズ面３３）と傾斜面（後方カット部３４の傾斜面３４ａ）とで形成することにより、ＬＥＤ１７の照射光やリフレクタ２１による反射光を、効率的かつ適度にレンズ部３０の後方レンズ面３３に集約させることができる。さらに、レンズ部３０の正面側の前方レンズ面３１の曲率を、カバーレンズ２３（第一被照射部材）の前面板２３Ａの付近が焦点となるように設定したので、レンズ部３０に集約された光がカバーレンズ２３に凝縮される。これにより、多数のＬＥＤを設けなくても、あるいは、特別に光度の高いＬＥＤを用いなくても、カバーレンズ２３を強発光させることができる。
【００３２】
また、本実施の形態では、電飾装置９としての上ランプユニット１０には、拡散レンズ板１３（第二レンズ）によってＬＥＤ１６（第二光源）の照射光を拡散させて飾りレンズ１５（第二被照射部材）を全体的に発光させるようにした弱発光表示部と、上記したレンズユニット２０によってＬＥＤ１７の照射光を集約・凝縮させて強く発光するようにした強発光表示部とを設けてある。これにより、強発光表示部の発光を際立たせて、演出効果を高めることができる。
また、レンズユニット２０のインナーレンズ２２はリフレクタ２１により外周を覆われているので、インナーレンズ２２に外部からの光（ＬＥＤ１６の照射光）が入ることがなく、逆に、ＬＥＤ１７の光がインナーレンズ２２から外部に漏れることがない。これにより、弱発光表示部の発光と強発光表示部の発光が互いに影響を及ぼし合うことなく、発光表示にメリハリを付けることができる。
【００３３】
そして、本実施の形態では、レンズユニット２０を上記したように形成することにより、強発光表示部を発光させるための光源（ＬＥＤ１７）と、弱発光表示部を発光させるための光源（ＬＥＤ１６）とを、同一平面上（単一のＬＥＤ基板１２）に配置してあっても、強発光表示部と弱発光表示部をひとつの電飾装置９（上ランプユニット１０）に設置することができる。また、強発光表示部を発光させるための光源と、弱発光表示部を発光させるための光源の光度が同じであっても、強発光表示部を強発光させることができる。これにより、電飾装置９の設計、製造が容易となり、上述したように少ない光源により強発光を実現できるので、コスト削減を図ることができる。
【００３４】
なお、上記した実施の形態では、ＬＥＤ１６とＬＥＤ１７が実装されるＬＥＤ基板１２は一枚の基板としてあったが、ＬＥＤ１６とＬＥＤ１７が同一平面の基板面に実装されるのであれば、ＬＥＤ基板１２が複数に分割されていてもよい。
また、上記した本実施の形態では、上ランプユニット１０に弱発光表示部と強発光表示部を設けた例を述べたが、同様の構成は、他の電飾装置９（サイドランプユニット９Ａ、中ランプユニット９Ｂ及びスピーカランプユニット９Ｃ）にも応用することができる。
【００３５】
さらに、上記した実施の形態では、第一被照射部材（カバーレンズ２３）、第二被照射部材（飾りレンズ１５）をレンズ部材としてあったが、第一被照射部材、第二被照射部材は、レンズでなくてもよい。例えば、光が屈折しない板部材でもよいし、所定の立体形状を有する役物であってもよい。第一被照射部材は第一レンズによって強発光して見え、第二被照射部材は第二レンズによって全体的に弱発光して見えるようになっていればよい。
そして、本発明は、スロットマシン以外の遊技機、例えばパチンコ遊技機にも応用することができる。
【符号の説明】
【００３６】
Ｓ  スロットマシン                ２  前扉
３  回転リール                    ９  電飾装置
１０  上ランプユニット            １２  ＬＥＤ基板
１３  拡散レンズ板（第二レンズ）  １５  飾りレンズ（第二被照射部材）
１６  ＬＥＤ（第二光源）          １７  ＬＥＤ（第一光源）
２０  レンズユニット              ２１  リフレクタ（遮光反射部材）
２２  インナーレンズ（第一レンズ）２３  カバーレンズ（第一被照射部材）
３０  レンズ部                    ３１  前方レンズ面
３２  前方カット部                ３２ａ  傾斜面（前方傾斜面）
３３  後方レンズ面                ３４  後方カット部
３４ａ  傾斜面（後方傾斜面）
【図１】
2015198675.tif 000003
【図２】
2015198675.tif 000004
【図３】
2015198675.tif 000005
【図４】
2015198675.tif 000006
【図５】
2015198675.tif 000007
【図６】
2015198675.tif 000008
【図７】
2015198675.tif 000009
【図８】
2015198675.tif 000010
【図９】
2015198675.tif 000011